(57)【要約】【課題】  必要本数の試験管をセットして、いつでもどこでも使用可能であり、かつポケットに入る程度に小型化されながら明るく見ることができる、血液の検査に用いるハンドビューワーを提供する。【解決手段】  試験管による血液の検査のために、試験管内の血液に光線を照射するための光源を内蔵した器具について、片手で保持し得るビューワー本体１０を具備し、ビューワー本体１０の一面に必要個数の試験管を着脱可能にセットする試験管セット部３２を設けるとともに、全ての試験管３０に一定光量の光が当たるように、ビューワー本体内に白色光を発光する面発光部１５を設け、ビューワー本体１０の上部又は下部との他の適当な箇所に握り部２７、２７′を設ける。【選択図】          図１
2005106551.tif 000002
【特許請求の範囲】
【請求項１】
試験管内の血液に光線を照射するための光源を内蔵した器具であって、片手で保持し得るビューワー本体を具備し、ビューワー本体の一面に必要個数の試験管を着脱可能にセットする試験管セット部を設けるとともに、全ての試験管に一定光量の光が当たるように、ビューワー本体内に白色光を発光する面発光部を設け、ビューワー本体の上部又は下部その他の適当な個所に握り部を設けた構成を有する血液の検査に用いるハンドビューワー。
【請求項２】
面発光部は、白色の散乱面と、その辺部に多数並列した白色ＬＥＤの列と、散乱面に重ねられ、白色ＬＥＤの列に面する辺部に光を導入する導光部を有し、他辺に反射部を有する面発光板と、面発光板に重ねられ、面発光板内からの光を拡散させて均一化する散光板とを有している請求項１記載の血液の検査に用いるハンドビューワー。
【請求項３】
ビューワー本体は、試験管の底部から観察するための凹状又は孔状の観察部を試験管セット部の下部に有し、かつ傾斜配置可能な構造を有している請求項１又は２記載の血液の検査に用いるハンドビューワー。
【発明の詳細な説明】
【技術分野】
【０００１】
本発明は試験管による血液の検査のために、試験管内の血液に光線を照射するための光源を内蔵したハンドビューワーに関するものである。
【背景技術】
【０００２】
例えば輸血時には、受血者である患者と供血者である献血者との血液型を検査し、その血液を輸血に用いても安全か、という点に主眼をおいた検査が行われる。この種の検査では、患者別に血液を採取し、試験管にとり試薬を入れ、遠心後、手に４〜５本を持ち、振って血液の凝集を見るというプロセスがある。凝集を見るために、まず、一定光量を持つ明るい光が必要であるけれども、蛍光灯や電球などは小型化が困難な上、線状又は点状の光源であるため１〜２個では、どのような散乱方法を採用しても均一で安定した光を望むことができない。
【０００３】
次に、人の手で持ち得る試験管の本数は４〜５本であるが、血液型の判定では６本の試験管を必要とすることが多い。その内訳は、オモテ試験のための抗Ａ血清と抗Ｂ血清、ウラ試験のためのＡ血球とＢ血球、それにＲｈ（Ｄ）検査のための抗Ｄ血清とＲｈコントロールである。従って６種を基準とする検査を同じ条件で実施するには、何らかの器具に試験管６本を全部セットして行い、適合試験には倍の本数をセットする必要がある。しかしこの要求を満たす、手持ちの器具は開示されていない。
【０００４】
特許文献に見られる先行技術には、実開昭５８−９２６６８号の血液交差適合試験装置という考案がある。同考案は試験管立ての収納孔群の列に文字を表示し、各試験管にも対応する文字を表示したものであり、多数の試験管を収納することができるが、試験管を固定するものでもなく、光源を持たず、本発明の目的には適合しない。また、特開平５−４５３６４号として輸血検査用分注装置という発明があるが、これは血液交差適合試験等における各種試料の複雑な分注を試料に無駄を生じることなく自動的に行うことを目的とする。このため装置として非常に高価であり、検査方法の１法には適当であるが、いつでもどこでも使用可能な手軽なものではない。
【０００５】
【特許文献１】実開昭５８−９２６６８号
【特許文献２】特開平５−４５３６４号
【発明の開示】
【発明が解決しようとする課題】
【０００６】
本発明は前記の点に着目してなされたものであり、その課題は、必要本数の試験管をセットして、いつでもどこでも使用可能であるとともに、ポケットに入る程度に小型化されながら、一定光量で明るく見ることができる、血液の検査に用いるハンドビューワーを提供することである。
【課題を解決するための手段】
【０００７】
前記の課題を解決するため、本発明は、試験管による血液の検査のために、試験管内の血液に光線を照射するための光源を内蔵した器具について、片手で保持し得るビューワー本体を具備し、ビューワー本体の一面に必要個数の試験管を着脱可能にセットする試験管セット部を設けるとともに、全ての試験管に一定光量の光が当たるように、ビューワー本体内に白色光を発光する面発光部を設け、ビューワー本体の上部又は下部その他の適当な個所に握り部を設けるという手段を講じたものである。
【０００８】
本発明のハンドビューワーは、特に、医療現場における血液型判定、輸血時の交差試験などに使用することを主たる目的としている。そのため、前記のように６本の試験管を装着できることが望ましい。さらに、交差適合試験のために患者と献血者双方の検査を同じ条件で実施するには、ビューワー本体を２個結合できるような構造を有することも望まれる。
【０００９】
試験管は必要本数、試験管セット部に、着脱可能にセットされる。従って試験管セット部には、試験管を確実に保持する機能が備わっている。それと同時に、試験管セット部にはビューワー本体に設けられる、発光装置からの光を妨げることなく受ける構造が備わっている。
【００１０】
試験管を照らす発光装置である面発光部は、全ての試験管に一定光量の光が当たるようにビューワー本体内に設けられている。光は白色光とする。面発光部については、２種の構造があり得る。一つは面そのものが発光するタイプであり、他の一つは面そのものが発光しているかのように作られたタイプである。面そのものが発光するタイプとしては液晶板を例示することができる。面そのものが発光しているかのように作られたタイプの場合、面発光部として、白色の散乱面と、その辺部に多数並列した白色ＬＥＤの列と、散乱面に重ねられ、白色ＬＥＤの列に面する辺部に光を導入する導光部を有し、他辺に反射部を有する面発光板と、面発光板に重ねられ、面発光板からの光を拡散させて均一にする散光板とから成る構造を有していることが望ましい。
【００１１】
前記した、ビューワー本体の、発光装置からの光を妨げることなく受ける構造部分は、一般的には窓である。この場合、面発光部の発光面は窓に嵌め込まれるように設けられ、面発光部の光はそのまま試験管内の血液を照射する。
【００１２】
ビューワー本体は、ポケットに入る程度に小型化されており、その上部又は下部その他の適当な箇所に、取り扱いの便宜のために握り部が設けられている。試験管を６本並べるとビューワー本体のほぼ全幅と等しくなり、その上部に握り部を配置した形態は、本発明のビューワーの望ましい形である。
【００１３】
また、試験管の底部を観察するための凹状又は孔状の観察部を試験管セット部の下部に設けることができる。これにより血液の凝集反応の観察の際に、流れ落ちる血球の状態を、正面のみならず底面からも観察することができるようになる。凝集反応の観察では試験管を傾けて凝集の有無を確認するので、ビューワー本体を傾斜配置可能な構造とすることが望ましい。なお、本発明のビューワーは、ビューワー本体を２台結合して使用できることが望ましいのは既に触れたとおりであるが、結合手段としてどのような形態を取るかについては自由に選択することができる。後述の例のように結合部材を用いても良いし、部材を必要としない結合構造を設けても良い。
【発明の効果】
【００１４】
本発明は以上の如く構成されかつ作用するものであるから、ポケットに入る程度に小型化されながら、必要本数の試験管をセットして、一定光量で明るく見ることができ、いつでもどこでも使用可能であり、かつ血液の凝集反応などを正確に観察して正確な判定を下すことができるという効果を奏する。
【発明を実施するための最良の形態】
【００１５】
以下図面を参照して本発明の実施の形態を説明する。各図において、１０はビューワー本体を示しており、例示されたビューワー本体１０はケース正面部１１とケース背面部１２とを組み合わせたもので、内部１３にプリント基板１４が組み込まれており、プリント基板１４に面発光部１５とその駆動装置が設けられている。
【００１６】
面発光部１５は、長方形かつ白色の散乱面１６と、その長辺に沿って配列した白色ＬＥＤ１７の列と、白色ＬＥＤ１７の列に面して白色ＬＥＤ１７の光を内部に導入する導入部１８を一辺に有し、かつ他辺に反射部１９を設け、さらに上面に粗面から成る光散乱構造を持つ散乱面２１を設けた面発光板２０と、面発光板２０に重ねて設けられ、面発光板内からの光を拡散させて均一化する散光板２２、２３とを有している。なお例示の場合、最外部の散光板２３は透明板であるが、内側の散光板２２は粗面から成る光散乱構造を有している。
【００１７】
プリント基板１４は、図３に示すブロックダイヤグラムと等価な回路素子が組み込まれており、各白色ＬＥＤ１７及び各素子はプリント配線２４によって接続されている。２５は電源電池であり、ケース背面部１２の外部に設けられている。また２６はプリント基板１４に設けられた電源スイッチであり、後述するケース正面部１１の握り部２７に相当する位置に配置されている。２８はそのスイッチ操作部を示す。握り部２７′はケース背面部１２の上部に設けられており、ケース背面部１２上端部にはビューワー本体１０を傾斜配置のために持ち上げるフランジ状の台部２９が設けられている。なお、スイッチ切り忘れには、自動消灯機能を付加して、節電を図ることが望ましい。
【００１８】
ビューワー本体１０を構成するケース正面部１１には、試験管３０を縦にセットする６対の試験管保持部３１、３１から成る試験管セット部３２が設けられている。試験管セット部３２はビューワー本体１０の下部に位置し、各１対の試験管保持部３１、３１間には、試験管３０の抜け止め３３が設けられている。またビューワー本体１０の下部には、面発光部１５が配置される窓状の開口部３４が設けられている。そして、ビューワー本体１０の下端部には、試験管３０の底部から観察するための凹状の観察部３５が保持部毎に設けられている。
【００１９】
また、本発明のハンドビューワー本体１０を２個結合して使用するために、ビューワー本体１０のケース背面部１２に、結合手段としてコネクター３６が用意されている。コネクター３６は係合爪３７、３７を左右各２個ずつ有しており、各ケース背面部１２の両側に形成されている係合口３８に着脱可能であることにより、ビューワー本体１０を結合可能とする。
【００２０】
このように構成された本発明のハンドビューワーは、スイッチ２６を入れると、１列に並んだ多数の白色ＬＥＤ１７の発する光が面発光板２０の導入部１８から板内に入光し、周囲を囲んだ反射部１９で反射され、かつ背面の白色の散乱面１６からの反射光とともに、正面方向へ出光するとともに、散光板２２、２３により全面均一な白色散乱光線となって面状に発光し、この光が本体正面の窓状の開口部３４から正面方向を照射する。従って、試験管３０を試験管セット部３２にセットした状態において、試験管内の血液を照らし、例えば凝集の状況などを明瞭に観察することができる。
【００２１】
特に本発明のものは、面発光部１５において、白色ＬＥＤ１７を光源とする明るい一定光量の白色光が得られるため、血液等の状態を的確に判断することができ、血液型やその交差試験等の判定を正確に行うことができる。また交差試験のためには、患者の血液と献血者の血液とを同じ条件で比較することが望ましいため、本発明のように２個のビューワー本体１０、１０を結合して試験できることは画期的なものとなる。
【００２２】
本発明のハンドビューワーは、例えば白衣や手術衣その他のもののポケットに入る大きさであるから、随時携帯して必要な時に正確な情報を得ることができる。従って、医療ミスの防止にも寄与する。
【図面の簡単な説明】
【００２３】
【図１】本発明に係る血液の検査に用いるハンドビューワーの１例を示す分解斜視図。
【図２】（ａ）同上のハンドビューワーの正面図。（ｂ）同じく右側面図。（ｃ）同じく下面図。
【図３】同上のものの電気系統の説明のためのブロックダイヤグラム。
【図４】本発明のハンドビューワーの背面図。
【図５】同じく使用状態の側面図。
【図６】２個のハンドビューワーの連結構造を示す斜視図。
【図７】同じく連結後の状態を示すハンドビューワーの正面図。
【符号の説明】
【００２４】
１０  ビューワー本体
１１  ケース正面部
１２  ケース背面部
１４  プリント基板
１５  面発光部
１６  白色の散乱面
１７  白色ＬＥＤ
１８  導入部
１９  反射部
２０  面発光板
２２、２３  散光板
２７、２７′  握り部
２９  台部
３０  試験管
３２  試験管セット部
３５  凹状の観察部
３６  コネクター
【図１】
2005106551.tif 000003
【図２】
2005106551.tif 000004
【図３】
2005106551.tif 000005
【図４】
2005106551.tif 000006
【図５】
2005106551.tif 000007
【図６】
2005106551.tif 000008
【図７】
2005106551.tif 000009